(57)【特許請求の範囲】
【請求項１】
中心線に直交する一方面部及び他方面部を有し中空の円盤状に形成されたカプセル本体と、該カプセル本体の内部に形成され収容者を収容可能な収容室と、上記カプセル本体に設けられ上記収容室内に出入りするための開閉可能な扉を有したハッチとを備えた津波用救命カプセルにおいて、
上記収容室に対して収容者を保持するエアバッグ装置を備え、
上記カプセル本体を、上記収容室を構成する外殻と、該外殻の周囲に付設されたフロートとを備えて構成し、
上記フロートを、珠状に形成し、上記外殻の外周に沿って数珠状に複数列設して付帯させ、
上記外殻を、上下に開放口を有した筒状の中央部と、該中央部の上側の開放口を覆う盆状の上部と、上記中央部の下側の開放口を覆う盆状の下部とを備えて構成し、上記上下の開放口の外周に夫々フランジを設け、上記上部及び下部の外周に夫々上記開放口のフランジに接合して固着されるフランジを設け、上記数珠状のフロート群を、上記上下のフランジ間に配置したことを特徴とする津波用救命カプセル。
【請求項２】
上記収容室に、上記中心線に略直交する臥面を有しカプセル本体に固定されるベッドを設け、上記エアバッグ装置を、ガスが注入されて膨出し該膨出により上記ベッドの臥面に臥した収容者を該臥面に対して押さえるエアバッグと、上記カプセル本体に上記ベッドの臥面に対向して設けられ上記エアバッグを支持する支持部と、上記エアバッグにガスボンベからガスを注入するガス注入部とを備えて構成したことを特徴とする請求項１記載の津波用救命カプセル。
【請求項３】
上記カプセル本体に固定され上記中心線に直交し上記収容室を上記一方面部側の一方室と上記他方面部側の他方室とに仕切る仕切部材を設け、該仕切部材の中央に、上記一方室及び他方室を連通し収容者が行き来可能な連通路を形成し、上記カプセル本体の一方面部に上記一方室に出入りするための一方ハッチを設け、上記カプセル本体の他方面部に上記他方室に出入りするための他方ハッチを設け、上記ベッドを該ベッドの臥面を一方面部側に向けて上記一方室及び他方室に夫々配設したことを特徴とする請求項２記載の津波用救命カプセル。
【請求項４】
上記収容室の一方面部側の内壁と他方面部側の内壁間に架設され上記中心線に平行な複数の支柱を設け、上記仕切部材を上記支柱に支持したことを特徴とする請求項３記載の津波用救命カプセル。
【請求項５】
上記一方室及び他方室において、夫々、上記ベッドを複数設けるとともに、各ベッドを上記中心線を中心にした点対称に配置し、且つ、カプセル本体の内壁に沿わせて配置したことを特徴とする請求項４記載の津波用救命カプセル。
【請求項６】
上記ガスボンベを、酸素ボンベで構成し、該酸素ボンベからの酸素を収容室内に供給可能な酸素供給管路を設けたことを特徴とする請求項２乃至５何れかに記載の津波用救命カプセル。
【請求項７】
上記ハッチを、上記カプセル本体に設けられ収容室に対して出入可能な出入口開口と、該出入口開口の外側にあるヒンジ機構に揺動可能に支持され揺動により該出入口開口を開閉する扉と、上記出入口開口の開口縁に沿って設けられ上記扉の閉時に該扉の内側外周縁部が接合する接合フランジと、上記扉の内側外周縁部及び接合フランジ間に介装されるパッキンと、上記扉を該扉の外周縁部内側を上記接合フランジに押圧してロックするロック機構とを備えて構成し、
該ロック機構を、上記扉の中央に回転可能に設けられ雄ネジが形成された回転軸と、上記出入口開口の開口縁から内側に所要の間隔で突出する複数の係止片と、上記回転軸の雄ネジに螺合される雌ネジを有し該回転軸の回転により進退動する中心部及び該中心部から放射方向に上記出入口開口の開口縁近傍まで延びるとともに回動して先端部が上記各係止片に夫々対峙する対峙位置及び該各係止片に対して夫々非対峙の非対峙位置の２位置に位置する複数のアームを有した進退動体と、上記扉の外側であって上記回転軸の一端に設けられ該回転軸を回転させる外側ハンドルと、上記扉の内側であって上記回転軸の他端に設けられ該回転軸を回転させる内側ハンドルとを備え、上記扉の閉時に上記外側ハンドルまたは内側ハンドルにより上記回転軸を回転させることにより上記進退動体のアームの先端部を係止片に対峙させるとともに該扉側に押圧してロックするようにしたことを特徴とする請求項１乃至６何れかに記載の津波用救命カプセル。
【請求項８】
上記扉に、上記進退動体の回動を規制してアームの先端部を対峙位置に位置決めする第一ストッパ部材と、上記進退動体の回動を規制してアームの先端を非対峙位置に位置決めする第二ストッパ部材とを設けたことを特徴とする請求項７記載の津波用救命カプセル。
【請求項９】
中心線に直交する一方面部及び他方面部を有し中空の円盤状に形成されたカプセル本体と、該カプセル本体の内部に形成され収容者を収容可能な収容室と、上記カプセル本体に設けられ上記収容室内に出入りするための開閉可能な扉を有したハッチとを備えた津波用救命カプセルにおいて、
上記収容室に対して収容者を保持するエアバッグ装置を備え、
上記収容室に、上記中心線に略直交する臥面を有しカプセル本体に固定されるベッドを設け、上記エアバッグ装置を、ガスが注入されて膨出し該膨出により上記ベッドの臥面に臥した収容者を該臥面に対して押さえるエアバッグと、上記カプセル本体に上記ベッドの臥面に対向して設けられ上記エアバッグを支持する支持部と、上記エアバッグにガスボンベからガスを注入するガス注入部とを備えて構成し、
上記ガスボンベを、酸素ボンベで構成し、該酸素ボンベからの酸素を収容室内に供給可能な酸素供給管路を設けたことを特徴とする津波用救命カプセル。
【請求項１０】
上記カプセル本体に固定され上記中心線に直交し上記収容室を上記一方面部側の一方室と上記他方面部側の他方室とに仕切る仕切部材を設け、該仕切部材の中央に、上記一方室及び他方室を連通し収容者が行き来可能な連通路を形成し、上記カプセル本体の一方面部に上記一方室に出入りするための一方ハッチを設け、上記カプセル本体の他方面部に上記他方室に出入りするための他方ハッチを設け、上記ベッドを該ベッドの臥面を一方面部側に向けて上記一方室及び他方室に夫々配設したことを特徴とする請求項９記載の津波用救命カプセル。
【請求項１１】
上記収容室の一方面部側の内壁と他方面部側の内壁間に架設され上記中心線に平行な複数の支柱を設け、上記仕切部材を上記支柱に支持したことを特徴とする請求項１０記載の津波用救命カプセル。
【請求項１２】
上記一方室及び他方室において、夫々、上記ベッドを複数設けるとともに、各ベッドを上記中心線を中心にした点対称に配置し、且つ、カプセル本体の内壁に沿わせて配置したことを特徴とする請求項１１記載の津波用救命カプセル。
【請求項１３】
上記カプセル本体を、上記収容室を構成する外殻と、該外殻の周囲に付設されたフロートとを備えて構成したことを特徴とする請求項９乃至１２何れかに記載の津波用救命カプセル。
【請求項１４】
上記フロートを、珠状に形成し、上記外殻の外周に沿って数珠状に複数列設して付帯させたことを特徴とする請求項１３記載の津波用救命カプセル。
【請求項１５】
上記ハッチを、上記カプセル本体に設けられ収容室に対して出入可能な出入口開口と、該出入口開口の外側にあるヒンジ機構に揺動可能に支持され揺動により該出入口開口を開閉する扉と、上記出入口開口の開口縁に沿って設けられ上記扉の閉時に該扉の内側外周縁部が接合する接合フランジと、上記扉の内側外周縁部及び接合フランジ間に介装されるパッキンと、上記扉を該扉の外周縁部内側を上記接合フランジに押圧してロックするロック機構とを備えて構成し、
該ロック機構を、上記扉の中央に回転可能に設けられ雄ネジが形成された回転軸と、上記出入口開口の開口縁から内側に所要の間隔で突出する複数の係止片と、上記回転軸の雄ネジに螺合される雌ネジを有し該回転軸の回転により進退動する中心部及び該中心部から放射方向に上記出入口開口の開口縁近傍まで延びるとともに回動して先端部が上記各係止片に夫々対峙する対峙位置及び該各係止片に対して夫々非対峙の非対峙位置の２位置に位置する複数のアームを有した進退動体と、上記扉の外側であって上記回転軸の一端に設けられ該回転軸を回転させる外側ハンドルと、上記扉の内側であって上記回転軸の他端に設けられ該回転軸を回転させる内側ハンドルとを備え、上記扉の閉時に上記外側ハンドルまたは内側ハンドルにより上記回転軸を回転させることにより上記進退動体のアームの先端部を係止片に対峙させるとともに該扉側に押圧してロックするようにしたことを特徴とする請求項９乃至１４何れかに記載の津波用救命カプセル。
【請求項１６】
上記扉に、上記進退動体の回動を規制してアームの先端部を対峙位置に位置決めする第一ストッパ部材と、上記進退動体の回動を規制してアームの先端を非対峙位置に位置決めする第二ストッパ部材とを設けたことを特徴とする請求項１５記載の津波用救命カプセル。
【発明の詳細な説明】
【技術分野】
【０００１】
本発明は、津波が到来した際に人を収容して救命を行う津波用救命カプセルに係り、特に、津波で発生する流木や瓦礫から身体を保護して水に浮遊することができる津波用救命カプセルに関する。
【背景技術】
【０００２】
従来、この種の津波用救命カプセルとして、例えば、特許文献１（特開２００４−３２２９３９号公報）に記載されたものが知られている。図１３に示すように、この津波用救命カプセルＣａは、中心線Ｐに直交する一方面部１００ａ及び他方面部１００ｂを有し中空の円盤状に形成されたカプセル本体１００と、カプセル本体１００の内部に形成され収容者を収容可能な収容室１０１とを備え、カプセル本体１００の一方面部１００ａに収容室１０１内に出入りするための開閉可能な扉１０２を有したハッチ１０３を設けている。カプセル本体１００の他方面部１００ｂ側には、バラスト水を収納するタンク１０４が設けられている。そして、収容室１０１内には、タンク１０４の上面部に、中心線Ｐに略直交する臥面１０５ａを有したベッド１０５を設け、このベッド１０５に収容者が臥し、ベルト１０６で身体を固定して、保持するようにしている。
【０００３】
そして、大きな地震による津波が到来するときは、一般に、地震発生から津波が到達するまでの短時間のうちに高台等の避難場所まで移動する必要があるが、津波の到来に気がつかなかったり、交通渋滞が生じたり、病人や老人等弱者がいる等の理由により、移動が困難で、逃避が不能になるようなときには、この津波用救命カプセルＣａを用いる。ハッチ１０３の扉１０２を開けて収容室１０１に入り、ベッド１０５に臥してベルト１０６を締め、扉１０２を閉め、津波が行き過ぎて定常になるまで待機する。
【０００４】
この際、津波が押し寄せて、津波用救命カプセルＣａが水をかぶり、あるいは、流されても、津波用救命カプセルＣａが水に浮遊するので水没を避けることができ、収容者の救命が図られる。この場合、津波用救命カプセルＣａは円盤形状に形成されているので、高さ寸法に比して幅寸法が大きいことから、水上を浮遊する姿勢を安定させることができる。また、バラスト水により横転することなく浮遊することが可能になる。そしてまた、収容者は、ベッド１０５に身体を伸ばした状態で保持されるので、この点でも姿勢が安定して救命が図られる。
【０００５】
また、従来においては、例えば、特許文献２（特開２００７−３３１６６０号公報）に記載されたものも知られている。これは、カプセル本体が上記と異なって細長形状に形成されているが、上記と同様に、収容者は、ベッドに臥してベルトを締め、身体を伸ばした状態で保持できるようにしている。
【先行技術文献】
【特許文献】
【０００６】
【特許文献１】特開２００４−３２２９３９号公報
【特許文献２】特開２００７−３３１６６０号公報
【発明の概要】
【発明が解決しようとする課題】
【０００７】
ところで、この従来の津波用救命カプセルＣａにおいては、収容者を、ベッド１０５に臥してベルト１０６を締め、身体を伸ばした状態で保持するようにして安定を図るようにしているが、津波の勢いがさほどではない場合には良いが、津波が巨大で破壊力が強い場合には、住宅やビルなどの建物、橋や道路などの各種施設等が破壊されて、瓦、石、コンクリート、金属、木材などの瓦礫が発生し、これらが津波とともに、津波用救命カプセルＣａに激しく衝突することが生じることがあり、その場合には、カプセルＣａが激しく反転したり、瓦礫などが衝突し、激しい衝撃を受ける。そのため、収容者はベルト１０６で押さえられているとは言っても、ベッド１０５から脱落したり、慣性力により身体が動いて身体が折り曲がる等して損傷することが生じ、十分に安全を図ることができない虞があった。
【０００８】
本発明は上記の点に鑑みて為されたもので、津波の破壊力が強い場合でも、収容者を収容室に動かないように保持し、しかも、衝撃力を吸収して、収容者の身体に損傷を与えないようにして安全の向上を図った津波用救命カプセルを提供することを目的とする。
【課題を解決するための手段】
【０００９】
このような目的を達成するための本発明の津波用救命カプセルは、中心線に直交する一方面部及び他方面部を有し中空の円盤状に形成されたカプセル本体と、該カプセル本体の内部に形成され収容者を収容可能な収容室と、上記カプセル本体に設けられ上記収容室内に出入りするための開閉可能な扉を有したハッチとを備えた津波用救命カプセルにおいて、上記収容室に対して収容者を保持するエアバッグ装置を備えた構成としている。
【００１０】
これにより、大きな地震による津波が到来するときは、短時間のうちに高台等の避難場所まで移動する必要があるが、移動が困難で、逃避が不能になるようなときには、この津波用救命カプセルを用いる。このときは、ハッチの扉を開けて収容室に入り、扉を閉めるとともに、エアバッグ装置を作動させて収容者を保持する。
【００１１】
この際、津波が押し寄せて、津波用救命カプセルが水をかぶり、あるいは、流されても、津波用救命カプセルが水に浮遊するので水没を避けることができ、収容者の救命が図られる。この場合、津波用救命カプセルは円盤形状に形成されているので、高さ寸法に比して幅寸法が大きいことから、水上を浮遊する姿勢を安定させることができる。また、津波が巨大で破壊力が強い場合には、住宅やビルなどの建物、橋や道路などの各種施設等が破壊されて、瓦、石、コンクリート、金属、木材などの瓦礫が発生し、これらが津波とともに、津波用救命カプセルに激しく衝突することが生じることがあり、その場合には、カプセルが激しく反転したり、瓦礫などが衝突し、激しい衝撃を受ける。然し、収容者はエアバッグ装置によって収容室に保持されているので、従来に比較して、慣性力が生じても身体の動きが抑制され、そのため、収容室内に放り出されたり、身体が折り曲がる等して損傷する事態を防止することができ、十分に安全が図られ、確実に救命することができるようになる。また、反転しても収容者の保持が確実なので、従来のようにバラストを設けなくても良く、それだけ、収容室のスペースを広くできるとともに、軽量にすることができる。
【００１２】
津波が収まったならば、適時にエアバッグ装置のエアを排気して、収容者の身体を解放し、扉を開けて外に出る。この場合、津波用救命カプセルが反転した状態で停止あるいは海などに浮遊している場合のために、ハッチは一方面部及び他方面部の両方に設けておくことが望ましい。
【００１３】
そして、必要に応じ、上記収容室に、上記中心線に略直交する臥面を有しカプセル本体に固定されるベッドを設け、上記エアバッグ装置を、ガスが注入されて膨出し該膨出により上記ベッドの臥面に臥した収容者を該臥面に対して押さえるエアバッグと、上記カプセル本体に上記ベッドの臥面に対向して設けられ上記エアバッグを支持する支持部と、上記エアバッグにガスボンベからガスを注入するガス注入部とを備えて構成している。
【００１４】
これにより、この津波用救命カプセルを用いるときは、扉を開けて収容室に入り、扉を閉めるとともに、ベッドに臥し、エアバッグ装置のガス注入部を操作してガスボンベからエアバッグにガスを注入する。これによりエアバッグが支持部から膨出し、臥した収容者をベッドの臥面に対して押さえる。そのため、収容者はエアバッグを介してベッドと支持部との間に謂わばサンドイッチ状態で保持されることになり、保持が確実になる。その結果、カプセルが激しく反転したり、瓦礫などが衝突し、激しい衝撃を受けても、ベッドから脱落して収容室内に放り出されたり、慣性力により身体が動いて身体が折り曲がる等して損傷してしまう事態を防止することができ、十分に安全が図られ、確実に救命することができるようになる。また、収容者は、ベッドに身体を伸ばした状態で保持されるので、この点でも姿勢が安定して救命が図られる。更に、津波用救命カプセルが反転して逆さになっても、収容者は今度はエアバッグを介して支持部側で支持されるので、支持さている状態に変わりはなく、保持が確実になる。この場合、逆さになっても違和感がないように、収容者は横向きになってベッドに臥すようにすると良い。
【００１５】
また、必要に応じ、上記カプセル本体に固定され上記中心線に直交し上記収容室を上記一方面部側の一方室と上記他方面部側の他方室とに仕切る仕切部材を設け、該仕切部材の中央に、上記一方室及び他方室を連通し収容者が行き来可能な連通路を形成し、上記カプセル本体の一方面部に上記一方室に出入りするための一方ハッチを設け、上記カプセル本体の他方面部に上記他方室に出入りするための他方ハッチを設け、上記ベッドを該ベッドの臥面を一方面部側に向けて上記一方室及び他方室に夫々配設した構成としている。
【００１６】
これにより、通常時は、津波用救命カプセルを、一方面部が設置面に対して上になり他方面が下になるように、且つ、他方面が設置面より人が入ることができるように上方に離間させて設置しておく。そして、津波用救命カプセルを使用するときは、収容者は一方面部の一方ハッチの扉を開けて上から一方室に入り、また、他方面部の他方ハッチの扉を開けて下から他方室に入り、各部屋のベッドに臥するようにする。仕切部材の中央に連通路があるので、この連通路を通って隣の収容室に入り込むこともできる。そのため、上下に出入用のハッチがあるので、収容者が素早く収容室に入ることができるようになる。また、ベッドはその臥面が全て一方面部側に向けて配設されているので、収容者が下向きにベッドに臥すことはない。
また、津波が収まってハッチの扉を開けて外に出る際に、津波用救命カプセルが反転した状態で停止あるいは海などに浮遊していても、ハッチは一方面部及び他方面部の両方に設けられているので、上側に位置する何れかのハッチの扉を開けて外に出ることができる。この場合、下側の収容室の収容者は連通路を通って上側の収容室に移動すればよい。
【００１７】
更に、必要に応じ、上記収容室の一方面部側の内壁と他方面部側の内壁間に架設され上記中心線に平行な複数の支柱を設け、上記仕切部材を上記支柱に支持した構成としている。支柱を設けたので、カプセル本体の強度が増し、耐久性が向上させられる。また、支持部材の支持も確実になる。
【００１８】
更にまた、必要に応じ、上記一方室及び他方室において、夫々、上記ベッドを複数設けるとともに、各ベッドを上記中心線を中心にした点対称に配置し、且つ、カプセル本体の内壁に沿わせて配置した構成としている。ベッドを点対称に配置したので、バランスが良く、浮遊を安定させることができる。また、収容者が、互いに向き合ってベッドに臥すことができ、互いの状態を見ながら会話もできるので、それだけ精神的安心を得られる。また、ベッドは、カプセル本体の内壁に沿わせて配置されているので、収容者の身体をこのカプセル本体の内壁でも支持することができ、それだけ保持が安定する。
【００１９】
また、必要に応じ、上記ガスボンベを、酸素ボンベで構成し、該酸素ボンベからの酸素を収容室内に供給可能な酸素供給管路を設けた構成としている。浮遊時間が長く、内部の酸素が不足する場合、あるいは、外洋に流されて波が荒いような場合、ハッチを開けるなどして空気を取り入れることができないような場合には、酸素供給管路を通して酸素を得ることができるので、長時間の浮遊等に対応することができる。
【００２０】
更に、必要に応じ、上記カプセル本体を、上記収容室を構成する外殻と、該外殻の周囲に付設されたフロートとを備えて構成している。フロートを設けたので浮遊し易くなる。また、フロートが外殻を保護するので、それだけ、瓦礫などの衝突の衝撃力を緩衝することができる。また、外殻の損傷も抑止することができる。
【００２１】
この場合、上記フロートを、珠状に形成し、上記外殻の外周に沿って数珠状に複数列設して付帯させた構成といている。数珠状なので各フロートが浮力を分散して受けることができ、波の影響を受けにくく浮遊を確実にすることができる。
【００２２】
また、必要に応じ、上記外殻を、上下に開放口を有した筒状の中央部と、該中央部の上側の開放口を覆う盆状の上部と、上記中央部の下側の開放口を覆う盆状の下部とを備えて構成し、上記上下の開放口の外周に夫々フランジを設け、上記上部及び下部の外周に夫々上記開放口のフランジに接合して固着されるフランジを設け、上記数珠状のフロート群を、上記上下のフランジ間に配置した構成としている。外殻を中央部，上部及び下部の３つの部材で構成したので、組立てが容易になる。また、フロートを上下のフランジ間に配置したので、外殻の中央部を覆ってこれを浮遊させることから姿勢を安定にすることができる。
【００２３】
そしてまた、必要に応じ、上記ハッチを、上記カプセル本体に設けられ収容室に対して出入可能な出入口開口と、該出入口開口の外側にあるヒンジ機構に揺動可能に支持され揺動により該出入口開口を開閉する扉と、上記出入口開口の開口縁に沿って設けられ上記扉の閉時に該扉の外周縁部内側が接合する接合フランジと、上記扉の内側外周縁部及び接合フランジ間に介装されるパッキンと、上記扉を該扉の内側外周縁部を上記接合フランジに押圧してロックするロック機構とを備えて構成し、該ロック機構を、上記扉の中央に回転可能に設けられ雄ネジが形成された回転軸と、上記出入口開口の開口縁から内側に所要の間隔で突出する複数の係止片と、上記回転軸の雄ネジに螺合される雌ネジを有し該回転軸の回転により進退動する中心部及び該中心部から放射方向に上記出入口開口の開口縁近傍まで延びるとともに回動して先端部が上記各係止片に夫々対峙する対峙位置及び該各係止片に対して夫々非対峙の非対峙位置の２位置に位置する複数のアームを有した進退動体と、上記扉の外側であって上記回転軸の一端に設けられ該回転軸を回転させる外側ハンドルと、上記扉の内側であって上記回転軸の他端に設けられ該回転軸を回転させる内側ハンドルとを備え、上記扉の閉時に上記外側ハンドルまたは内側ハンドルにより上記回転軸を回転させることにより上記進退動体のアームの先端部を係止片に対峙させるとともに該扉側に押圧してロックするようにした構成としている。
【００２４】
これにより、ハッチを開けるときは、外側ハンドルまたは内側ハンドルにより回転軸を回転させることにより、進退動体のアームの先端部を接合フランジから離間させるとともに、非対峙位置にして係止片から外す。この状態で、扉をヒンジ機構を介して揺動させ扉の内側外周縁部を接合フランジから離して開ける。この場合、進退動体は回転軸を介して扉と同動するが、アームの先端部は係止片に対して非対峙位置にあるので、係止片と干渉することがない。この場合、比較的簡易な機構で容易に扉を開くことができる。
一方、ハッチを閉めるときは、扉をヒンジ機構を介して揺動させ扉の内側外周縁部をパッキンを介して接合フランジに接合する。それから、外側ハンドルまたは内側ハンドルにより回転軸を回転させることにより、進退動体のアームの先端部を対峙位置にして係止片に対峙させるとともに、更に、進退動体を扉側に移動させると、アームの先端部が係止片を押圧するとともに、進退動体の中央部及び回転軸を介して扉を相対的に進退動体側に引き寄せることになることから、扉の内側外周縁部が接合フランジに押圧され、これにより扉がロックされる。また、扉の内側外周縁部が接合フランジにパッキンを介して押圧されて接合されるので、この部位でシールされ、水密性が図られる。この場合、比較的簡易な機構で容易に扉を閉じることができ、且つシールを行なうことができる。
【００２５】
この場合、必要に応じ、上記扉に、上記進退動体の回動を規制してアームの先端部を対峙位置に位置決めする第一ストッパ部材と、上記進退動体の回動を規制してアームの先端を非対峙位置に位置決めする第二ストッパ部材とを設けたことが有効である。進退動体が回動しすぎることなく、アームを対峙位置もしくは非対峙位置に位置決めすることができ、操作を確実に行なうことができる。
【発明の効果】
【００２６】
本発明によれば、津波が押し寄せて、津波用救命カプセルが水をかぶり、あるいは、流されても、津波用救命カプセルが水に浮遊するので水没を避けることができ、収容者の救命を図ることができる。この場合、津波が巨大で破壊力が強い場合には、住宅やビルなどの建物、橋や道路などの各種施設等が破壊されて、瓦、石、コンクリート、金属、木材などの瓦礫が発生し、これらが津波とともに、津波用救命カプセルに激しく衝突することが生じることがあり、その場合には、カプセルが激しく反転したり、瓦礫などが衝突し、激しい衝撃を受けるが、収容者はエアバッグ装置によって収容室に保持されているので、従来に比較して、慣性力が生じても身体の動きが抑制され、そのため、収容室内に放り出されたり、身体が折り曲がる等して損傷する事態を防止することができ、十分に安全が図られ、確実に救命することができるようになる。
【図面の簡単な説明】
【００２７】
【図１】本発明の実施の形態に係る津波用救命カプセルを示す斜視図である。
【図２】本発明の実施の形態に係る津波用救命カプセルを示す側面断面図である。
【図３】本発明の実施の形態に係る津波用救命カプセルの一方室の状態を示す平面図である。
【図４】本発明の実施の形態に係る津波用救命カプセルの他方室の状態を示す平面図である。
【図５】本発明の実施の形態に係る津波用救命カプセルの外殻の構成を示す分解斜視図である。
【図６】本発明の実施の形態に係る津波用救命カプセルのハッチのロック機構の構成例を示す断面図である。
【図７】本発明の実施の形態に係る津波用救命カプセルのエアバッグ装置を示す配管図である。
【図８】本発明の別の実施の形態に係る津波用救命カプセルを示す側面図である。
【図９】本発明の別の実施の形態に係る津波用救命カプセルを示す底面図である。
【図１０】本発明の別の実施の形態に係る津波用救命カプセルのハッチの構造を示す断面図である。
【図１１】本発明の別の実施の形態に係る津波用救命カプセルのハッチの構造を示す要部図である。
【図１２】本発明の実施の形態に係る津波用救命カプセルの仕切部材の別の例を示す斜視図である。
【図１３】従来の津波用救命カプセルの一例を示す斜視図である。
【発明を実施するための形態】
【００２８】
以下、添付図面に基づいて、本発明の実施の形態に係る津波用救命カプセルについて詳細に説明する。
図１乃至図５に示すように、本発明の実施の形態に係る津波用救命カプセルＣは、中心線Ｐに直交する一方面部１ａ及び他方面部１ｂを有し中空の円盤状に形成されたカプセル本体１と、カプセル本体１の内部に形成され収容者Ｍを収容可能な収容室１０とを備えている。また、図５に示すように、カプセル本体１に固定され中心線Ｐに直交し収容室１０を一方面部１ａ側の一方室１０ａと他方面部１ｂ側の他方室１０ｂとに仕切る板状の仕切部材２が設けられている。仕切部材２の中央には、一方室１０ａ及び他方室１０ｂを連通し収容者Ｍが行き来可能な矩形状の連通路３が形成されている。
【００２９】
カプセル本体１は、収容室１０を構成する略矩形状の外殻４と、外殻４の周囲に付設されたフロート５とを備えて構成されている。図５に示すように、外殻４及び仕切部材２は、例えば、金属板あるいはガラス繊維と樹脂から形成されるＦＲＰ等で形成されている。外殻４は、略矩形カップ状の互いに対称な一対の外殻単体４ａ，４ｂを備えている。外殻単体４ａ，４ｂの開放縁にはフランジ６が形成されている。そして、各外殻単体４ａ，４ｂのフランジ６同士は、仕切部材２の外周縁２ａを挟んで、且つ、シール材（図示せず）を介して接合されるとともに、ボルト７，ナット８あるいはリベット（図示せず）で締結されている。このため、外殻４は、外殻単体４ａ，４ｂを２つ合わせた構造なので、製作が容易であり、製造コストも比較的安価にすることができる。尚、外殻４の内面に断熱材や緩衝材を被覆した内装を施すことができる。外装は、防錆剤入りの塗料を塗布すると良い。
【００３０】
収容室１０の一方面部１ａ側の内壁と他方面部１ｂ側の内壁間には、中心線Ｐに平行な複数の支柱９が架設されている。支柱９は、中心線Ｐを中心にした円周上であって、後述の出入口開口２２を囲繞するように、等間隔で４本設けられている。支柱９は、木製，樹脂製，金属性の管等適宜の材質のもので形成される。そして、仕切部材２は、この支柱９にも支持されている。支柱９は、仕切部材２の連通路３も囲繞するように設けられている。
【００３１】
また、フロート５は、外殻４の外周であって、略矩形を形成する４つの側面に付設されている。フロート５は、例えば、発泡スチロールやウレタン等の衝撃を吸収できる樹脂材料で形成されている。そして、このフロート５の外周を円弧面に形成することで、カプセル本体１全体を略円盤状に形成している。
【００３２】
更に、カプセル本体１には、収容室１０内に出入りするための開閉可能な扉２１を有したハッチ２０が設けられている。詳しくは、図２及び図６に示すようにカプセル本体１の一方面部１ａに、一方室１０ａに出入りするための一方ハッチ２０ａが設けられ、カプセル本体１の他方面部１ｂに、他方室１０ｂに出入りするための他方ハッチ２０ｂが設けられている。一方面部１ａの中央及び他方面部１ｂの中央には、夫々、円形の出入口開口２２が形成されており、扉２１はこの出入口開口２２を開閉する。一方ハッチ２０ａ及び他方ハッチ２０ｂにおいて、扉２１はヒンジ２３により開閉可能に外殻４に支持され、外周には出入口開口２２に弾接するシール部材２４が設けられている。
【００３３】
図６に示すように、３０はロック装置であり、外殻４に回動可能に設けられた回動軸３１と、回動軸３１に設けられ回動により扉２１の内側の係止凹部３２に係止する係止凸部３３と、回動軸３１を回動させるための内外一対のハンドル３４とを有して構成されている。一方ハッチ２０ａ及び他方ハッチ２０ｂにおいて、ロック装置３０は、中心線Ｐを中心に等角度関係で、夫々、４つ設けられている。図１乃至図４に示すように、３５は扉２１の外側に設けられた把手である。扉２１の中央には、収容室１０の内圧が高くなった場合に空気を逃がす空気調整弁３６が設けられている。
【００３４】
更にまた、収容室１０には、中心線Ｐに略直交する臥面を有しカプセル本体１に固定されるベッド４０が設けられている。ベッド４０は、ベッド４０の臥面４１を一方面部１ａ側に向けて、一方室１０ａ及び他方室１０ｂに夫々配設されている。一方室１０ａ及び他方室１０ｂにおいて、夫々、ベッド４０は複数設けられている。各ベッド４０は、中心線Ｐを中心にした点対称に配置され、且つ、カプセル本体１の外殻４の内壁に沿わせて配置されている。ベッドの４０の臥面４１は身体の外形に倣うように凹み形成されている。
【００３５】
一方室１０ａにおいては、ベッド４０が設けられるスペースが、所謂卍形になるように４区画形成され、各区画にベッド４０が設けられている。仕切部材２上には木製のフロア４２が形成されており、このフロア４２上にベッド４０が設けられる。ベッド４０はクッション部材４３で形成されている。また、ベッド４０の臥した収容者Ｍに沿う外殻４の内面には、ベッド４０と同様のクッション部材４４が付設されている。更に、隣接する区画間にも仕切部材４５が設けられ、この仕切部材４５にもベッド４０と同様のクッション部材４６が付設されている。この仕切部材４５のあるベッド４０の一端部は、収容者Ｍの頭部が収納される頭部収納空間４７を構成する。
【００３６】
他方室１０ｂにおいては、ベッド４０が設けられるスペースが、所謂卍形になるように４区画形成され、そのうち、互いに向きあう２つの区画にベッド４０が設けられている。他方室１０ｂを構成する外殻４の他方面部１ｂの内面には木製のフロア４２が形成されており、このフロア４２上にベッド４０が設けられる。ベッド４０はクッション部材４３で形成されている。また、ベッド４０の臥した収容者Ｍに沿う外殻４の内面には、ベッド４０と同様のクッション部材４４が付設されている。更に、隣接する区画間にも仕切部材４５が設けられ、この仕切部材４５にもベッド４０と同様のクッション部材４６が付設されている。この仕切部材４５のあるベッド４０の一端部は、収容者Ｍの頭部が収納される頭部収納空間４７を構成する。また、ベッド４０が設けられない別の２つの区画は、救命用の資材を収納する資材収納スペース４８として構成されている。
【００３７】
そして、実施の形態に係る津波用救命カプセルＣは、図２及び図７に示すように、収容室１０に対して収容者Ｍを保持するエアバッグ装置５０が備えられている。エアバッグ装置５０は、ガスが注入されて膨出しこの膨出によりベッド４０の臥面４１に臥した収容者Ｍを臥面４１に対して押さえるエアバッグ５１と、カプセル本体１にベッド４０の臥面４１に対向して設けられエアバッグ５１を支持する支持部５２と、エアバッグ５１にガスボンベ５３からガスを注入するガス注入部５４とを備えて構成されている。エアバッグ５１は、例えば、樹脂シートを袋状に形成したもので、ベッド４０に臥した収容者Ｍの頭を除く胴部を押さえる大きさのものであり、ベッド４０の臥面４１と反対側の面が支持部材５２に接着剤などで固着されて、各ベッド４０毎に夫々設けられている。エアバッグ５１は、非使用時には、扁平にされて支持部材５２にテープなどで止着されている。
【００３８】
一方室１０ａにおいては、ベッド４０に対面し一方室１０ａを構成する外殻４の一方面部１ａの内面に、木製のフロア状の支持部５２が設けられている。他方室１０ｂにおいては、ベッド４０に対面し他方室１０ｂを構成する仕切部材２の内面に、木製のフロア状の支持部５２が設けられている。
ガスボンベ５３は、酸素ボンベで構成されており、上記他方室１０ｂの資材収納スペース４８に設置されている。図７に示すように、この酸素ボンベからなるガスボンベ５３からは、各エアバッグ５１に対してガスを供給するガス注入部５４としてのエア供給管路５６が設けられており、各ベッド４０に対応して夫々設けた開閉バルブ５５をベッド４０に臥した収容者Ｍが操作して開にすることにより、エアバッグ５１を膨らますことができるようになっている。また。酸素ボンベからの酸素を収容室１０内に供給可能なエア供給管路５７が設けられており、収容室１０内の酸素が不足したときに、これに設けた開閉バルブ５８を収容者Ｍが操作して開にすることにより、収容室１０内に酸素を供給できるようにしている。尚、ベッド４０に別途ベルトを設けて、このベルトによっても身体を固定するようにして良い。より一層保持が確実になる。
【００３９】
また、カプセル本体１には、収容室１０内に採光可能な窓６０が設けられている。窓６０は、外殻４において、収容者Ｍの頭部が収納される頭部収納空間４７を構成する部位に、夫々設けられている。この窓６０は開閉可能になっており、適時に開けて換気を行うことができる。必要に応じて、窓６０の開時に、この窓６０開口を通して強制的に喚起を行う手動式の「フイゴ」を備えることができる。
【００４０】
また、上記の資材収納スペース４８には、例えば、非常食（少なくとも人数分で、７〜１０日分の水と食料品）、薬品等の医療品、衣料品、ラジオ、メガホン、救命ジャケット、ロープ、係留用鉤爪状の錘付きロープ、救命ブイ、黄色の旗、反射鏡、発煙筒、信号弾、照明弾、黄色の染料、手袋、望遠鏡、ＳＯＳ発信器、電池類、手動式発電機、懐中電灯、ケミカルライトなどの種々の避難用品を格納しておくと良い。電池類は使用期限があるので、ライトやラジオなどの電気製品は手動発電型のものを搭載することが望ましい。
【００４１】
従って、この実施の形態に係る津波用救命カプセルＣにおいては、各家庭単位に１台あるいは複数台用意しておき、また、集合ビルや避難所等においても必要台数を用意しておき、図１に示すように、通常時は、津波用救命カプセルＣを、一方面部１ａが設置面に対して上になり他方面部１ｂが下になるように、且つ、他方面部１ｂが設置面より人が入ることができるように例えばスタンド６１上に置いて上方に離間させて設置しておく。
【００４２】
そして、津波用救命カプセルＣを使用するときは以下のようになる。大きな地震による津波が到来するときは、一般に、地震発生から津波が到達するまでの短時間のうちに高台等の避難場所まで移動する必要があるが、津波の到来に気がつかなかったり、交通渋滞が生じたり、病人や老人等弱者がいる等の理由により、移動が困難で、逃避が不能になるようなときには、この津波用救命カプセルＣを用いる。
【００４３】
先ず、収容者Ｍは一方面部１ａの一方ハッチ２０ａの扉２１を開けて上から一方室１０ａに入り、また、他方面部１ｂの他方ハッチ２０ｂの扉２１を開けて下から他方室１０ｂに入り、各部屋のベッド４０に臥するようにする。仕切部材２の中央に連通路３があるので、この連通路３を通って隣の収容室１０に入り込むこともできる。そのため、上下に出入用のハッチ２０があるので、例えば、障害者，老人や子供等は他方ハッチ２０ｂから収容室１０に入るようにすれば、容易に収容室１０に入ることができる。そのため、収容者Ｍが素早く収容室１０に入ることができるようになる。また、ベッド４０はその臥面４１が全て一方面部１ａ側に向けて配設されているので、収容者Ｍが下向きにベッド４０に臥すことはない。この場合、逆さになっても違和感がないように、収容者Ｍは横向きになってベッド４０に臥すようにすると良い。収容者Ｍは安全のためヘルメットを着用することが望ましい。また、ペット類も収容室１０に収容できる。必要に応じ、ペット類もエアバッグ装置５０で押さえるようにして良い。
【００４４】
次に、適時にハッチ２０の扉２１を閉め、ロック装置３０でロックする。そして、ベッド４０に臥した状態で、エアバッグ装置５０のエアバッグ５１の止着を解き、ガス注入部５４を操作してガスボンベ５３からエアバッグ５１にガスを注入する。これにより、エアバッグ５１が支持部５２から膨出し、臥した収容者Ｍをベッド４０の臥面４１に対して押さえる。そのため、収容者Ｍはエアバッグ５１を介してベッド４０と支持部５２との間に謂わばサンドイッチ状態で保持されることになり、保持が確実になる。尚、ベッド４０に別途ベルトを設けて、このベルトによっても身体を固定するようにして良い。より一層保持が確実になる。
【００４５】
この状態で、津波が押し寄せて、津波用救命カプセルＣが水をかぶり、あるいは、流されても、津波用救命カプセルＣが水に浮遊するので水没を避けることができ、収容者Ｍの救命が図られる。この場合、津波用救命カプセルＣは円盤形状に形成されているので、高さ寸法に比して幅寸法が大きいことから、中心線Ｐを中心に回転するようにして水上を浮遊し、その姿勢を安定させることができる。また、浮遊中に木などの自然物や建物に衝突しても、フロート５が外殻４を保護するので、外殻４の損傷が抑止させられる。
【００４６】
また、津波が巨大で破壊力が強い場合には、住宅やビルなどの建物、橋や道路などの各種施設等が破壊されて、瓦、石、コンクリート、金属、木材などの瓦礫が発生し、これらが津波とともに、津波用救命カプセルＣに激しく衝突することが生じることがあり、その場合には、カプセルＣが激しく反転したり、瓦礫などが衝突し、激しい衝撃を受ける。然し、収容者Ｍはエアバッグ装置５０によって収容室１０に保持されているので、従来に比較して、慣性力が生じても身体の動きが抑制され、そのため、収容室１０内に放り出されたり、身体が折り曲がる等して損傷する事態を防止することができ、十分に安全が図られ、確実に救命することができるようになる。また、カプセル本体１の外殻４及び仕切部材２を支柱９で支持したので、カプセル本体１の強度が増し、耐久性が向上させられる。仕切部材２の支持も確実になる。更に、フロート５があるので、それだけ、瓦礫などの衝突の衝撃力を緩衝することができる。
【００４７】
この場合、収容者Ｍは、ベッド４０に身体を伸ばした状態で保持されるので、この点でも姿勢が安定して救命が図られる。更に、津波用救命カプセルＣが反転して逆さになっても、収容者Ｍは今度はエアバッグ５１を介して支持部５２側で支持されるので、支持されている状態に変わりがなく、保持が確実になる。この場合、逆さになっても違和感がないように、収容者Ｍは横向きになってベッド４０に臥すようにすると良い。また、ベッド４０は、カプセル本体１の内壁に沿わせて配置されているので、収容者Ｍの身体をこのカプセル本体１の内壁でも支持することができ、それだけ保持が安定する。更にまた、ベッドの４０の臥面４１は身体の外形に倣うように凹み形成されているので、身体の動きがより一層抑止される。
【００４８】
また、ベッド４０を点対称に配置したので、バランスが良く、浮遊を安定させることができる。ベッド４０はクッション部材４３で形成され、ベッド４０の臥した収容者Ｍに沿う外殻４の内面には、ベッド４０と同様のクッション部材４４が付設されているとともに、仕切部材４５にもベッド４０と同様のクッション部材４６が付設されているので、これによっても衝撃が吸収され、身体の保護が図られる。特に、収容者Ｍの頭部は頭部収納空間４７に収納されるので保護が確実になる。更に、ベッド４０を点対称に配置したので、収容者Ｍが、互いに向き合ってベッド４０に臥すことができ、互いの状態を見ながら会話もできるので、それだけ精神的安心を得られる。
【００４９】
更にまた、収容室１０内に採光可能な窓６０を設けたので、光を収容室１０内に採光できるとともに、外部の様子を見ることができる。収容室１０が暗い場合には、初期照明には、例えば、ロープを引けばガラス管が折れて発光するタイプのケミカルライトを用いると良い。その後は、懐中電灯や手動発電式のＬＥＤランプなどを用いる等すると良い。また、窓６０は開閉可能になっており、適時に開けて換気を行うことができる。必要に応じて、窓６０の開時に、この窓開口を通して強制的に喚起を行う手動式の「フイゴ」を備えることができる。また、窓６０は、ＳＯＳ信号発信器のアンテナ取付口にもなる。
【００５０】
窓６０は、津波が終息する前や、あるいは、外洋に流されて波が荒いような場合はできるだけ開けない方が良い。そのため、浮遊中に収容室１０内の酸素が不足したならば、エア供給管路５７に設けた開閉バルブ５８を収容者Ｍが操作して開にすることにより、酸素ボンベからの酸素を収容室１０内に供給する。収容室１０内の内圧が上昇した場合には、扉２１の中央に設けた空気調整弁３６が作動し、空気を逃がすので、内圧が安定化する。
【００５１】
津波が収まったならば、適時にエアバッグ装置５０のエアをドレン（図示せず）を開にして排気して、収容者Ｍの身体を解放し、扉２１を開けて外に出る。この場合、津波用救命カプセルＣが反転した状態で停止あるいは海などに浮遊していても、ハッチ２０は一方面部１ａ及び他方面部１ｂの両方に設けられているので、上側に位置する何れかのハッチ２０の扉２１を開けて外に出ることができる。この場合、下側の収容室１０の収容者Ｍは連通路３を通って上側の収容室１０に移動すればよい。また、津波用救命カプセルＣが海などに浮遊している場合には、係留用鉤爪状の錘付きロープを投げて、流されるのを防止するようにすると良い。津波用救命カプセルＣの周囲の破壊の度合いが高かったり、海上に流される等、上陸できない環境の場合には、この津波用救命カプセルＣに留まり、救助を待つ。
【００５２】
次に、本発明の別の実施の形態に係る津波用救命カプセルについて説明する。
図８乃至図１１に示すように、本発明の実施の形態に係る津波用救命カプセルＣは、中心線Ｐに直交する一方面部１ａ及び他方面部１ｂを有し中空の円盤状に形成されたカプセル本体１と、カプセル本体１の内部に形成され収容者Ｍを収容可能な収容室１０とを備えている。カプセル本体１は、収容室１０を構成する円盤状の外殻７０と、外殻７０の周囲に付設されたフロート７５とを備えて構成されている。収容室１０は、上記と同様に形成されているのでその説明を省略する。
【００５３】
カプセル本体１の外殻７０は、金属板あるいはガラス繊維と樹脂から形成されるＦＲＰ等で形成（実施の形態ではＦＲＰで形成）され、上下に開放口を有した筒状の中央部７１と、中央部７１の上側の開放口を覆い一方面部１ａを有した盆状の上部７２と、中央部７１の下側の開放口を覆い他方面部１ｂを有した盆状の下部７３とを備えて構成されている。中央部７１の上下の開放口の外周には夫々フランジ７１ａが設けられ、上部７２及び下部７３の外周には夫々開放口のフランジ７１ａに接合して固着されるフランジ７２ａ，７３ａが設けられており、フランジ７１ａとフランジ７２ａ，７３ａ同士を図示外のシール部材を介して接合させ、これらを例えば図示外のリベットやボルト,ナットで締結している。外殻７０を中央部７１，上部７２及び下部７３の３つの部材で構成したので、組立てが容易になる。尚、上記の仕切部材２は中央部７１の内側に接着溶剤等で固定されている。
【００５４】
フロート７５は、樹脂の中空体あるいは中実体からなり、例えば繭形の珠状に形成されており、外殻７０の外周に沿って数珠状に固定ロープ７６に引き通されて複数列設して付帯させられている。数珠状のフロート７５群は、２列設けられ、上下のフランジ７１ａ，間に配置され、互いにロープ７７で連結されるとともに、上記のフランジ７１ａ，７２ａ，７３ａにロープ７８で繋止されている。図８中、符号６０は外殻７０に設けられた採光可能な窓である。窓６０は、開閉不能であり、外殻７０の中央部７１にその外周に沿って例えば等角度関係で４つ設けられている。また、図９に示すように、外殻７０の上部７２及び下部７３には、夫々、後述のハッチ８０を挟んで、一対の空気取入口部８９が設けられている。空気取入口部８９は、内部から開閉可能になっており、常時は閉じ、津波が収まったとき等の適時に開にして空気を取り入れることが可能になっている。
【００５５】
カプセル本体１には、収容室１０内に出入りするためのハッチ８０が設けられている。ハッチ８０としては、カプセル本体１の一方面部１ａに設けられた一方ハッチ８０ａ及び、カプセル本体１の他方面部１ｂに設けられた他方ハッチ８０ｂの２つ設けられている。
ハッチ８０は、図１０及び図１１に示すように、カプセル本体１に設けられ収容室１０に対して出入可能な出入口開口８１と、出入口開口８１の外側にあるヒンジ機構８２に揺動可能に支持され揺動により出入口開口８１を開閉する盆状の扉８３とを備えている。扉８３には開閉するための把手８３ａが設けられている。出入口開口８１は外殻７０に接着溶剤等で固定される筒状体８４で構成され、この出入口開口８１の外側開口縁には、これに沿って設けられ扉８３の閉時に扉８３の内側外周縁部８５が接合する接合フランジ８６が一体形成されている。また、扉８３の内側外周縁部８５には、接合フランジ８６との間に介装されるパッキン８７が設けられている。
【００５６】
ヒンジ機構８２は、外殻７０の外側に設けられる支持体８２ａと、扉８３から突設される突出体８２ｂと、支持体８２ａ及び突出体８２ｂの何れか一方に設けられるピン８２ｃと、支持体８２ａ及び突出体８２ｂの何れか他方に設けられピン８２ｃに回動可能に挿通される孔部８２ｄとから構成されている。ピン８２ｃと孔部８２ｄとの間には所要のクリアランスが設けられ、揺動に自由度が付与されている。
【００５７】
そして、ハッチ８０は、扉８３をこの扉８３の外周縁部８５の内側をパッキン８７を介して接合フランジ８６に押圧してロックするロック機構９０を備えて構成されている。ロック機構９０は、扉８３の中央に回転可能に設けられ雄ネジ９１ａが形成された回転軸９１を備えている。回転軸９１は扉８３に設けたスラストベアリング９２に支持されて扉８３に貫通配置されている。回転軸９１は防水シール９１ｂでシールされている。また、ロック機構９０は、出入口開口８１の開口縁から内側に所要の間隔（実施の形態では１２０°間隔）で突出する複数の係止片９３を備えている。筒状体８４の内側には、一片８８ａが接合フランジ８６とは反対側に突出し、他片８８ｂがボルト,ナット８８ｃで筒状体８４に固定された断面Ｌ字板状の金具８８が設けられており、係止片９３は、この金具８８の一片８８ａで構成されている。
【００５８】
また、ロック機構９０は、進退動体９４を備えている。この進退動体９４は、回転軸９１の雄ネジ９１ａに螺合される雌ネジ９５ａを有しこの回転軸９１の回転により進退動する中心部９５、及び、この中心部９５から放射方向に（実施の形態では１２０°の角度関係で）出入口開口８１の開口縁近傍まで延びるとともに回動して先端部９６ａが上記の各係止片９３に夫々対峙する対峙位置Ｘ及び各係止片９３に対して夫々非対峙の非対峙位置Ｙの２位置に位置する複数のアーム９６を有して構成されている。スラストベアリング９２と進退動体９４の中心部９５との間にはコイルスプリング９５ｂが圧縮状態で介装されている。
【００５９】
更に、扉８３の外側であって回転軸９１の一端には、回転軸９１を回転させる外側ハンドル９７が設けられ、扉８３の内側であって回転軸９１の他端には、回転軸９１を回転させる内側ハンドル９８が設けられている。これにより、ロック機構９０は、扉８３の閉時には、外側ハンドル９７または内側ハンドル９８で回転軸９１を回転させることにより、進退動体９４のアーム９６の先端部９６ａを係止片９３に対峙させるとともに扉８３側に押圧してロックするようにしている。
【００６０】
また、扉８３には、進退動体９４の回動を規制してアーム９６の先端部９６ａを対峙位置Ｘに位置決めする第一ストッパ部材Ｘａと、上記進退動体９４の回動を規制してアーム９６の先端を非対峙位置Ｙに位置決めする第二ストッパ部材Ｙａとが設けられている。第一ストッパ部材Ｘａ及び第二ストッパ部材Ｙａは棒状に形成され、各アーム９６毎に対応して扉８３の裏面に垂設されている。
更に、進退動体９４のアーム９６の収容室１０側には、アーム９６を覆い隠すカバー９９が付設されている。
【００６１】
従って、この別の実施の形態に係る津波用救命カプセルＣを用いるときは、先ず、収容者Ｍは一方面部１ａのハッチ８０（一方ハッチ８０ａ）の扉８３を開けて収容室１０内に入り、あるいは、他方面部１ｂのハッチ８０（他方ハッチ８０ｂ）の扉８３を開けて下から収容室１０内に入る。このハッチ８０を開けるときは、ロック機構９０の外側ハンドル９７により回転軸９１を回転させることにより、進退動体９４のアーム９６の先端部９６ａを接合フランジ８６から離間させるとともに、非対峙位置Ｙにして係止片９３から外す。この場合、図１１に示すように、進退動体９４は、回動して第二ストッパ部材Ｙａに当接してその回動が規制され、そのため、進退動体９４が回動しすぎることなく、アーム９６を非対峙位置Ｙに位置決めすることができ、操作を確実に行なうことができる。この状態で、扉８３をヒンジ機構８２を介して揺動させ扉８３の内側外周縁部８５を接合フランジ８６から離して開ける。この場合、進退動体９４は回転軸９１を介して扉８３と同動するが、アーム９６の先端部９６ａは係止片９３に対して非対峙位置Ｙにあるので、係止片９３と干渉することがない。この場合、比較的簡易な機構で容易に扉８３を開くことができる。
【００６２】
次に、適時にハッチ８０の扉８３を閉め、ロック機構９０でロックする。この場合、ハッチ８０を閉めるときは、扉８３をヒンジ機構８２を介して揺動させ扉８３の内側外周縁部８５をパッキン８７を介して接合フランジ８６に接合する。それから、図１０及び図１１に示すように、外側ハンドル９７または内側ハンドル９８により回転軸９１を回転させることにより、進退動体９４のアーム９６の先端部９６ａを対峙位置Ｘにして係止片９３に対峙させる。この場合、進退動体９４は、回動して第一ストッパ部材Ｘａに当接してその回動が規制され、そのため、進退動体９４が回動しすぎることなく、アーム９６を対峙位置Ｘに位置決めすることができ、操作を確実に行なうことができる。
【００６３】
そして、更に、進退動体９４を扉８３側に移動させると、アーム９６の先端部９６ａが係止片９３を押圧するとともに、進退動体９４の中心部９５及び回転軸９１を介して扉８３を相対的に進退動体９４に引き寄せることになることから、扉８３の内側外周縁部８５が接合フランジ８６に押圧され、これにより扉８３がロックされる。また、扉８３の内側外周縁部８５が接合フランジ８６にパッキン８７を介して押圧されて接合されるので、この部位でシールされ、水密性が図られる。この場合、比較的簡易な機構で容易に扉８３を閉じることができ、且つシールを行なうことができる。
【００６４】
そして、収容室１０内においては、上記と同様に対処する。この状態で、津波が押し寄せて、津波用救命カプセルＣが水をかぶり、あるいは、流されても、津波用救命カプセルＣが水に浮遊するので水没を避けることができ、収容者Ｍの救命が図られる。この場合、津波用救命カプセルＣは円盤形状に形成されているので、高さ寸法に比して幅寸法が大きいことから、中心線Ｐを中心に回転するようにして水上を浮遊し、その姿勢を安定させることができる。また、浮遊中に木などの自然物や建物、あるいは瓦礫等に衝突しても、フロート７５が外殻７０を保護するので、外殻７０の損傷が抑止させられる。また、瓦礫などの衝突の衝撃力を緩衝することができる。この場合、フロート７５は、珠状に形成されて、外殻７０の外周に沿って数珠状に複数列設して付帯させられているので、各フロート７５が浮力を分散して受けることができ、波の影響を受けにくく浮遊を確実にすることができる。また、フロート７５を上下のフランジ７１ａ間に配置したので、外殻７０の中央部７１を覆ってこれを浮遊させることから姿勢を安定にすることができる。収容室１０内での作用，効果は、上記と同様である。
【００６５】
尚、上記実施の形態では、仕切部材２を板状に形成し、これにフロア４２及び支持部５２を設けているが、図１２に示すように、仕切部材２をフロア４２及び支持部５２を兼ねた例えば木製の部材で構成し、これを支柱９で支持する構成としても良く適宜変更して差し支えない。また、上記実施の形態では、津波用救命カプセルＣは、６人の利用のものを示したが、必ずしもこれに限定されるものではなく、５人以下、あるいは７人以上の人が収容できるように、ベッド４０の数やエアバッグ装置５０を設けて良く、適宜変更して差し支えない。また、カプセル本体１の材質も上記に限定されるものではなく、適宜変更して差し支えない。
【産業上の利用可能性】
【００６６】
平成２３年（２０１１年）３月１１日の「東日本大震災」では、三陸沖を震源に国内観測史上最大のＭ９．０の地震が発生し、これに伴って巨大津波が来襲し、震源地にほど近い東北地方の沿岸に沿った広範囲の地域において、都市や漁村等の市街地の多くが破壊され、多数の人が犠牲となった。犠牲者の多くは津波によるものであり、瓦礫などの漂流物による圧死が直接の死因とされる場合が多く報告されている。そのため、本発明は、簡易な構造で設置も容易であり、操作性も良いことから、普及することにより、非常時に極めて有用に機能すると考えられる。
【符号の説明】
【００６７】
Ｃ  津波用救命カプセル
Ｍ  収容者
Ｐ  中心線
１  カプセル本体
１ａ  一方面部
１ｂ  他方面部
２  仕切部材
２ａ  外周縁
３  連通路
４  外殻
４ａ，４ｂ  外殻単体
５  フロート
６  フランジ
７  ボルト
８  ナット
９  支柱
１０  収容室
１０ａ  一方室
１０ｂ  他方室
２０  ハッチ
２０ａ  一方ハッチ
２０ｂ  他方ハッチ
２１  扉
２２  出入口開口
２３  ヒンジ
２４  シール部材
３０  ロック機構
３１  回転軸
３２  係止凹部
３３  係止凸部
３４  ハンドル
３５  把手
３６  空気調整弁
４０  ベッド
４１  臥面
４２  フロア
４３，４４，４６  クッション部材
４５  仕切部材
４７  頭部収納空間
４８  資材収納スペース
５０  エアバッグ装置
５１  エアバッグ
５２  支持部
５３  ガスボンベ（酸素ボンベ）
５４  ガス注入部
５５  開閉バルブ
５６  エア供給管路
５７  エア供給管路
５８  開閉バルブ
６０  窓
６１  スタンド
７０  外殻
７１  中央部
７２  上部
７３  下部
７１ａ，７２ａ，７３ａ  フランジ
７５  フロート
７６  固定ロープ
８０  ハッチ
８０ａ  一方ハッチ
８０ｂ  他方ハッチ
８１  出入口開口
８２  ヒンジ機構
８３  扉
８３ａ  把手
８４  筒状体
８５  外周縁部
８６  接合フランジ
８７  パッキン
８９  空気取入口部
９０  ロック機構
９１  回転軸
９１ａ  雄ネジ
９３  係止片
９５  進退動体
９５ａ  雌ネジ
９５ｂ  コイルスプリング
９６  アーム
９６ａ  先端部
Ｘ  対峙位置
Ｙ  非対峙位置
９７  外側ハンドル
９８  内側ハンドル
Ｘａ  第一ストッパ部材
Ｙａ  第二ストッパ部材
【図１】
0005335975.tif 000002
【図２】
0005335975.tif 000003
【図３】
0005335975.tif 000004
【図４】
0005335975.tif 000005
【図５】
0005335975.tif 000006
【図６】
0005335975.tif 000007
【図７】
0005335975.tif 000008
【図８】
0005335975.tif 000009
【図９】
0005335975.tif 000010
【図１０】
0005335975.tif 000011
【図１１】
0005335975.tif 000012
【図１２】
0005335975.tif 000013
【図１３】
0005335975.tif 000014